(57)【要約】【課題】視聴者が表示方法を選択可能であり、映像データあるいは他の実時間イベントと同期した情報を、文字あるいは画像データとして表示する情報送信装置および映像表示装置を提供する。【解決手段】情報送信装置は、映像データからなるＥＳが多重化されたＴＳに、前記映像データあるいは前記映像データとは異なるイベントに同期した、オブジェクトの位置情報を、別のＥＳとして多重化して出力する。映像表示装置は、ＴＳに多重化された同期データを分離し、前記分離した同期データを解析したデータから、視聴者に選択された表示方法で、表示データを作成して、映像データと重畳して表示する。これにより、例えば、スポーツでフィールド内の選手の位置を任意の視点から確認したり、選手毎にチーム名、ポジション、背番号、成績などの情報を表示し、さらに視聴者が表示内容を自由にカスタマイズすることができる。【選択図】図１
2008103933.tif 000002
【特許請求の範囲】
【請求項１】
映像データから、エレメンタリーストリーム（ＥＳ）を作成する映像データ作成部と、前記映像データと実時間に同期する、オブジェクトの位置情報を含むＥＳを作成する同期データ作成部と、前記映像データ作成部で作成されたＥＳと前記同期データ作成部で作成されたＥＳとを重畳してトランスポートストリーム（ＴＳ）を作成する重畳部と、前記重畳部で作成されたＴＳを送出する送出部と、を備えることを特徴とする情報送信装置。
【請求項２】
映像データからなるＥＳが多重化されたＴＳに、前記映像データに同期した、オブジェクトの位置情報を、別のＥＳとして多重化して出力することを特徴とする情報送信装置。
【請求項３】
映像データからなるＥＳが多重化されたＴＳに、前記映像データとは異なるイベントに同期した、オブジェクトの位置情報を、別のＥＳとして多重化して出力することを特徴とする情報送信装置。
【請求項４】
請求項１乃至３のいずれかに記載の情報送信装置において、前記同期データ作成部は、前記映像データに同期したオブジェクトの位置情報に加えて、該オブジェクトの属性情報を出力することを特徴とする情報送信装置。
【請求項５】
請求項４に記載の情報送信装置において、前記同期データ作成部は、イベントに応じて、異なる種類の属性情報を出力することを特徴とする情報送信装置。
【請求項６】
請求項４または５に記載の情報送信装置において、前記同期データ作成部は、前記属性情報の種別に応じて、送出間隔を変化させることを特徴とする情報送信装置。
【請求項７】
請求項１乃至６のいずれかに記載の情報送信装置において、前記同期データ作成部は、同期データの表示方法を選択するための表示内容を出力することを特徴とする情報送信装置。
【請求項８】
請求項１乃至７のいずれかに記載の情報送信装置において、前記重畳部は、前記同期データを字幕ＥＳとして多重することを特徴とする情報送信装置。
【請求項９】
ＴＳに多重化された同期データを分離する同期データ分離部と、前記分離した同期データを解析する同期データ解析部と、前記解析したデータから表示データを作成する表示データ作成部と、を備えることを特徴とする映像表示装置。
【請求項１０】
請求項９に記載の映像表示装置において、さらに、表示方法を選択する表示データ選択部を備え、前記表示データ作成部は、前記表示データ選択部で選択された表示方法で、前記解析したデータから表示データを作成することを特徴とする映像表示装置。
【請求項１１】
請求項１０に記載の映像表示装置において、前記表示データ作成部は、複数のＴＳに対応する同期データを、前記表示データ選択部で切り替えて表示することを特徴とする映像表示装置。
【請求項１２】
請求項９または１０に記載の映像表示装置において、前記表示データ作成部は、複数のＴＳに対応する同期データを、同時に表示することを特徴とする映像表示装置。
【請求項１３】
請求項１乃至８のいずれかに記載の情報送信装置の各部、または、請求項９乃至１２のいずれかに記載の映像表示装置の各部としてコンピュータを機能させるためのプログラム。
【請求項１４】
コンピュータが読み取り可能な記録媒体であって、請求項１３に記載のプログラムを記録したことを特徴とする記録媒体。
【発明の詳細な説明】
【技術分野】
【０００１】
本発明は、情報送信装置、映像表示装置、プログラムおよび記録媒体に関し、特に、実時間に同期した情報を多重した放送を送信し、その多重した情報を受信して表示する情報送信装置、映像表示装置、プログラムおよび記録媒体に関する。
【背景技術】
【０００２】
従来、テレビ放送では、様々な情報が絵や文字の形で表示されている。また、デジタル放送では、データ放送サービスが提供され、視聴者がリモコンなどを用いて操作することにより、より詳細な情報を得ることができるようになってきた。
【０００３】
例えば、野球中継では、図１１に示すような情報が画面の隅に表示される。図１１は、対戦チーム名とスコアの表示１１０１と、カウントの表示１１０２と、ランナーの表示１１０３を含み、これらの情報は、ゲームの進行に応じてほぼ実時間で更新される。
また、デジタル放送で提供される野球やサッカーへのデータ放送サービスでは、ほぼ実時間のスコアの他に、得点者に関する情報やその時点でのチームの順位表などの情報も提供している。
【０００４】
その他、料理番組におけるレシピや、バラエティ番組におけるテロップなど、多種の情報が表示されるが、これらの情報は、メイン映像の一部であるため、視聴者の要求により表示の方法を変更したり、表示の有無を切り替えることができない。
【０００５】
例えば、特許文献１では、デジタル放送のメイン映像であるＭＰＥＧ２ストリームに、サブ映像となるＭＰＥＧ４ストリームを多重し、視聴者の要求によりサブ映像の表示を切り替える方法が提案されている。
【特許文献１】特開２０００−２０９５８０号公報
【発明の開示】
【発明が解決しようとする課題】
【０００６】
しかしながら、上記の特許文献１の方法では、サブ画面に表示される映像を切り替えることは可能であるが、例えば、フィールド内の選手の位置を任意の視点から確認したり、選手毎にチーム名、ポジション、背番号、成績などの情報を表示し、さらに視聴者が表示内容を自由にカスタマイズすることはできない。
【０００７】
本発明は、上述の実情を考慮してなされたものであって、視聴者が表示方法を選択可能であり、映像データあるいは他の実時間イベントと同期した情報を、文字あるいは画像データとして表示する情報送信装置、映像表示装置、プログラムおよび記録媒体を提供することを目的とする。
【課題を解決するための手段】
【０００８】
上記課題を解決するために、本発明の情報送信装置および映像表示装置を次のような構成とする。
情報送信装置は、映像データから、エレメンタリーストリーム（ＥＳ）を作成する映像データ作成部と、前記映像データと実時間に同期する、オブジェクトの位置情報を含むＥＳを作成する同期データ作成部と、前記映像データ作成部で作成されたＥＳと前記同期データ作成部で作成されたＥＳとを重畳してトランスポートストリーム（ＴＳ）を作成する重畳部と、前記重畳部で作成されたＴＳを送出する送出部と、を備えたものである。
【０００９】
また、上記のＴＳに、前記映像データに同期した、あるいは、前記映像データとは異なるイベントに同期した、オブジェクトの位置情報を、別のＥＳとして多重化して出力するようにしてもよい。
また、前記重畳部は、前記同期データを字幕ＥＳとして多重するようにしてもよい。
【００１０】
前記同期データ作成部では、さらに、（１）前記オブジェクトの属性情報（イベントに応じて異なる種類の属性情報とする）、（２）同期データの表示方法を選択するための表示内容等を作成し、定期的に送出する。
この送出は、前記属性情報の種別に応じて、送出間隔を変化させるようにしてもよい。
【００１１】
また、映像表示装置は、ＴＳに多重化された同期データを分離する同期データ分離部と、前記分離した同期データを解析する同期データ解析部と、表示方法を選択する表示データ選択部と、前記表示データ選択部で選択された表示方法で、前記解析したデータから表示データを作成する表示データ作成部と、を備えたものである。
【００１２】
この前記表示データ作成部は、複数のＴＳに対応する同期データを、前記表示データ選択部で切り替えて表示するものであってもよいし、また、複数のＴＳに対応する同期データを同時に表示するものであってもよい。
【００１３】
また、上述した構成の情報送信装置および映像表示装置の各部として、コンピュータを機能させるためのプログラムを作成しておき、または、そのプログラムをコンピュータ読み取り可能な記録媒体に記録しておき、このプログラムをコンピュータで実行することによっても上記課題を解決することができる。
【発明の効果】
【００１４】
本発明によれば、視聴者が表示方法を選択可能であり、映像データあるいは他の実時間イベントと同期した情報を、文字あるいは画像データとして表示することができる。
これにより、例えば、スポーツでフィールド内の選手の位置を任意の視点から確認したり、選手毎にチーム名、ポジション、背番号、成績などの情報を表示し、さらに視聴者が表示内容を自由にカスタマイズすることができる。
【発明を実施するための最良の形態】
【００１５】
以下、図面を参照して本発明の情報送信装置および映像表示装置に係る好適な実施形態について説明する。
【００１６】
図１は、本実施形態に係る情報送信装置の機能構成を示すブロック図であり、同図において、情報送信装置１０１は、同期データ作成部１０２、映像データ作成部１０３、重畳部１０４、送出部１０５、制御部１０６から構成されている。
【００１７】
情報送信装置１０１には、入力装置１０７が接続されており、入力装置１０７は、一つまたは複数の映像を、同期データ作成部１０２と映像データ作成部１０３へ供給する。
入力装置１０７から同期データ作成部１０２へ供給されるデータとしては、映像データの他に、同期データ作成用の専用の装置などによって作成された、映像データに同期するデータが含まれていてもよい。
【００１８】
情報送信装置１０１の近傍には送信アンテナ１０８が設置されており、送信アンテナ１０８は、情報送信装置１０１から供給された信号を電波に変換して放送波として送出する。
以下の説明では、サッカーの実況中継番組を例にして説明するが、その他の放送番組でも同様に適用できる。
【００１９】
同期データ作成部１０２は、入力装置１０７から供給された映像データを解析するか、または、同期データ作成用の専用の装置などによって作成されたデータをもとに、同期データに関するエレメンタリストリーム（以下、ＥＳと略記する）を作成し、重畳部１０４に供給する。
【００２０】
ここで、同期データには、この例では、オブジェクトの位置情報および種別を含むものとする。例えば、図２に例示したように、各オブジェクトには、オブジェクトＩＤが付与されており、オブジェクトＩＤごとにＸ，Ｙ，Ｚ軸の値で位置が指定される。このオブジェクトを表示する画面のいずれに位置にいるかを示している。例えば、オブジェクトＩＤ＝０のオブジェクトは、画面に対して（１０５５，３１５，５）の画素位置を重心とした位置にいることを示している。
【００２１】
種別は、当該オブジェクトがボールか、人か、走っている人か、あるいはシュートをしている人か、などの区別を指定する。例えば、種別値は、０をボール、１を選手と定義すると、オブジェクトＩＤ＝０のオブジェクトはボールであり、オブジェクトＩＤ＝１〜１１のオブジェクトは人（選手）であることが分かる。
【００２２】
同期データには、映像表示装置が同期データを描画する際、３次元空間のどの位置を視点とするかを指定するための、視点情報を含めてもよい。この視点情報は、オブジェクトの位置情報と同様に、Ｘ，Ｙ，Ｚ軸の値で表現する。
【００２３】
本実施形態では、オブジェクトを動かすために、オブジェクトの位置情報のみを定期的に作成して送出するので、例えば、ＭＰＥＧ−４による動画を送出するのに比較して、送出するデータ量が軽減される。
【００２４】
さらに、この同期データには、各オブジェクトの位置情報の他に、各オブジェクトの次のデータ等をも含んでおり、定期的に作成して同期データＥＳに含めて送出する。
（１）属性情報：
オブジェクトの属性情報には、例えば、図３に例示したように、スポーツであれば、選手が属するチームの区別、選手の名前、選手の背番号、選手のポジション、選手の成績等を示す情報が含まれている。
図３のオブジェクトＩＤは、図２に示した位置情報のオブジェクトＩＤと同じオブジェクトを指すものであり、オブジェクトの属性情報と、位置情報とが一対一に対応している。
また、図示しないが、サッカーでは、動かないオブジェクトであるフィールドやゴールなどの位置情報も、属性情報に含めて送出する。
【００２５】
属性情報の種別は、図４の例に限らず、イベントに応じてどのような情報を設定しても構わない。例えば、スポーツのスコアや料理番組のレシピなどの、文字によって表示する内容や、ニュース番組やバラエティ番組では、紹介する店の位置情報や周辺の地図などの情報であっても構わない。
【００２６】
また、これらの属性情報は、オブジェクトの位置情報に比較して更新間隔が長いため、位置情報より送出の間隔が長くなるようにする。また、オブジェクト毎あるいは属性情報毎に送出間隔を変化させてもよい。
【００２７】
（２）文字で表示する情報：
例えば、試合の状況を表すスコアなどである。
【００２８】
（３）同期データの表示方法を切り替えるための選択肢データ：
選択肢を表す全項目や、属性情報中に含まれている全項目などである。
【００２９】
同期データ作成部１０２が同期データをＥＳとして送出することにより、データ放送として送出するのに比較して、精度よく他のＥＳとの同期を取ることが可能となる。
また、字幕ＥＳを利用して、字幕データの代わりに同期データを送出してもよい。あるいは、時間同期を犠牲にしてもよい場合は、データ放送として送出し、受信機のＢＭＬブラウザによって表示してもよい。
【００３０】
次に、映像データ作成部１０３は、入力装置１０７から供給された映像データをもとに、メイン映像ＥＳを作成し、重畳部１０４へ供給する。
【００３１】
重畳部１０４は、映像データ作成部１０３より供給されたメイン映像ＥＳと、同期データ作成部１０２より供給された同期データＥＳとを重畳して、トランスポートストリーム（以下、ＴＳと略記する）を作成し、送出部１０５へ供給する。
【００３２】
送出部１０５は、重畳部１０４から供給されたＴＳを電気信号に変換し、送信アンテナ１０８へ送信する。
【００３３】
制御部１０６は、情報送信装置１０１の各部が上記に説明した通りの動作をするように制御する。
【００３４】
次に、図４のフローチャートを用いて、情報送信装置１０１の処理の流れを説明する。
【００３５】
まず、映像データ作成部１０３は、入力装置１０７から供給された映像データをもとに、メイン映像ＥＳを作成し、重畳部１０４へ供給する（ステップＳ１）。
【００３６】
また、同期データ作成部１０２は、入力装置１０７から供給された映像データを解析するか、または、同期データ作成用の専用の装置などによって作成されたデータをもとに、同期データに関するＥＳを作成し、重畳部１０４に供給する（ステップＳ２）。
ここで、オブジェクトの位置情報および種別を含む同期データは、オブジェクトを動かすために定期的に作成して送出する。
さらに、各オブジェクトに対して、属性情報、フィールドの位置情報、文字で表示する情報、同期データの表示方法を切り替えるための選択肢データなどを、定期的に作成して同期データＥＳに含めて送出する。これらの属性情報は、オブジェクトの位置情報に比較して更新間隔が長いため、位置情報より送出の間隔が長くなるようにする。また、オブジェクト毎あるいは属性情報毎に送出間隔を変化させてもよい。
【００３７】
次に、重畳部１０４は、供給されたメイン映像ＥＳと同期データＥＳとを重畳して、ＴＳを作成し、送出部１０５へ供給し（ステップＳ３）、送出部１０５は、供給されたＴＳを電気信号に変換して送信アンテナ１０８に送信する（ステップＳ４）。
【００３８】
以上のようにして、情報送信装置１０１は、映像データと同期データを多重して送出することができる。
【００３９】
次に、本発明の実施形態に係る映像表示装置について説明する。
図２は、本実施形態に係る映像表示装置の機能構成を示すブロック図であり、同図において、映像表示装置２００は、制御部２０１、記憶部２０２、受信部２０３、同期データ分離部２０４、映像データ再生部２０５、表示データ作成部２０６、表示部２０７、同期データ解析部２０８、表示データ選択部２０９からなっている。
映像表示装置２００は、受信アンテナ２１０経由で放送波を受信し、メイン映像と同期データを表示する。
【００４０】
制御部２０１は、ＣＰＵ（Central Processing Unit）を備え、映像表示装置２００の全体の動作の制御、機能の調整等を実行するものであり、バスを介して記憶部２０２、受信部２０３、同期データ分離部２０４、映像データ再生部２０５、表示データ作成部２０６、表示部２０７、同期データ解析部２０８、表示データ選択部２０９に接続されている。
【００４１】
記憶部２０２は、揮発性記憶装置や不揮発性記憶装置からなり、不揮発性記憶装置には本装置の各種機能を実行するための各種アプリケーションプログラムの他、ＯＳＤ（On Screen Display）処理のための各種データ、チャンネル選局のためのデータ等が保存され、揮発性記憶装置は作業用記憶装置としても使う。
【００４２】
受信部２０３は、複数のチューナにより構成され、図示しない操作部から指定されて選局されたチャンネルの放送波を、受信アンテナ２１０を介して受信し、受信した放送波を復調し、さらに誤り訂正等の処理を施してＴＳへ変換し、ＴＳを同期データ分離部２０４へ供給する。
【００４３】
同期データ分離部２０４は、受信部２０３で選局された放送波に多重化されたＴＳを、映像ＥＳおよび同期データＥＳに分離し、分離した映像ＥＳを映像データ再生部２０５に供給し、ＴＳ内に同期データＥＳが含まれている場合にのみ、分離した同期データＥＳを同期データ解析部２０８へ供給する。
【００４４】
映像データ再生部２０５は、同期データ分離部２０４で分離した映像ＥＳを非圧縮のデジタル映像データとして復号し、量子化係数や動きベクトルを求め、逆離散コサイン変換や動きベクトルに基づく動き補償制御などを行った映像データを表示データ作成部２０６に供給する。また、この映像ＥＳに音声ＥＳが含まれていれば、この音声ＥＳを非圧縮のデジタル音声データとして復号して、Ｄ／Ａ変換したアナログの音声データを、図示しないスピーカやヘッドフォン等に出力させる。
【００４５】
同期データ解析部２０８は、同期データＥＳを解析し、図２に例示した位置情報や図３に例示した属性情報等などの同期データを抽出し、表示データ作成部２０６へ供給する。
【００４６】
表示データ選択部２０９は、視聴者に対して表示データの切替手段を提供する。視聴者が操作部によって表示データの切替操作を行うと、表示データ選択部２０９は、制御部２０１を通じて、視聴者からの入力を受け、指定された表示データ作成方法を、表示データ作成部２０６に対して入力し、同期データを画像化する手段を指定する。
【００４７】
例えば、視聴者がリモコンなどの操作部を用いて操作すると、画面に図６のような選択肢が表示される。
図６において、視聴者がリモコンの「青」ボタンを押すと、図７に示すように、各オブジェクトをフィールドに配置するような同期データの表示がＯＮ／ＯＦＦされる。例えば、表示部２０７に同期データが表示されていなければ、同期データを表示し、同期データが表示されているときには、同期データの表示を終了させる。
【００４８】
また、視聴者がリモコンの「赤」ボタンを押すと、表示部２０７に表示されている同期データの表示の視点を切り換える。例えば、「赤」ボタンを押すたびに、各オブジェクトを、異なる視点から描画し、図７のようにセンターライン方向やゴールの後方から表示するように切り換えたり、「赤」ボタンを押した後、カーソルキーなどにより、ユーザが視点の位置をシームレスに移動することができる。
【００４９】
また、視聴者がリモコンの「緑」ボタンを押すと、属性情報の表示がＯＮ／ＯＦＦされる。例えば、表示部２０７に属性情報が表示されていなければ、属性情報を表示し、属性情報が表示されているときには、属性情報の表示を終了させる。図７に示すように、チームごと／選手ごとに属性（名前、背番号、ポジションや成績等）の表示がＯＮ／ＯＦＦされる。
【００５０】
また、視聴者がリモコンの「黄」ボタンを押すと、詳細設定画面が表示され、例えば、属性情報のうち表示する項目や、属性情報を選手ごとに表示するのかチームごとに表示するのか、あるいは、選手がどちらのチームに属しているのか等の設定ができる。
図７の場合、指定したチームごとに、そのチームに属している選手の名前と背番号とポジションとを表示させるように設定してある。また、チームの違いを色で識別するように設定している。
【００５１】
このように、視聴者は、詳細な設定を行うことが可能なため、視聴するイベントに応じた最適な表示に自由にカスタマイズが可能である。
【００５２】
そして、表示データ作成部２０６は、同期データ解析部２０８より供給された同期データと、表示データ選択部２０９より供給された設定情報とから、表示すべき画像を作成し、映像データ再生部２０５から供給された映像データとを重畳して、表示部２０７へ供給する。
【００５３】
このとき、表示データ作成部２０６は、同期データが図２に示すようなオブジェクトの位置情報であった場合は、この位置情報をもとに、オブジェクトの表示位置と、オブジェクトに付随して表示する属性情報を決定し、表示データ選択部２０９より指定された視点からの描画を図７のように行う。
【００５４】
この図７において、フィールド５０１は、定期的に送出されるフィールドの位置情報をもとに、指定された視点に対応して描画する。
オブジェクト５０２とオブジェクト５０４は選手であり、オブジェクト５０５はボールを示し、同期データのオブジェクトの位置情報が更新されることにより、それらオブジェクトの表示位置が更新される。このオブジェクトの形状は、オブジェクトの種別によって決定され、位置情報によって表示される位置が決定される。
【００５５】
また、オブジェクト５０２に付随する属性情報５０３は、各選手の背番号、ポジションと名前が表示され、オブジェクト５０２に伴って表示位置が更新される。この例では、選手を示すオブジェクトを色分けすることによって所属するチームを区別しており、オブジェクト５０２と、オブジェクト５０４の色が異なるようにして、敵対するチームに所属していることを示すようにしている。また、この例では、属性情報５０３は、オブジェクト５０２が所属しているチームの選手を示すオブジェクトにのみ表示されるように設定してある。
【００５６】
また、表示データ作成部２０６は、供給された同期データがオブジェクトの位置情報以外の、スポーツであれば選手のチーム名、背番号、ポジション、成績などの情報やスコアなどの文字で表示する情報、あるいは、フィールドの位置情報、同期データの表示方法を切り替えるための選択肢データなどであった場合には、これらの情報の表示または表示の更新を行う。
【００５７】
表示部２０７は、ＬＣＤ（Liquid Crystal Display）やＰＤＰ（Plasma Display Panel）等からなり、表示データ作成部２０６から供給された映像データをそれらの出力特性にあわせて変換して出力する。
【００５８】
例えば、表示部２０７に表示される画面は図８のようになる。図８では、画面８０１の中にサッカーのメイン映像８０２が表示されており、同期データとして、スコアを示す文字情報８０３と、フィールドとオブジェクトの位置情報８０４と、同期データの表示方法の切り替え手段を示す表示８０５とが多重されて表示されている。
なお、同期データの表示方法は、本実施形態で説明した方法に限らない。例えば、デジタル放送受信装置が搭載しているＢＭＬブラウザで描画を行ったり、同期データを表示するための子画面を設けるなど、いずれの方法を用いても構わない。
【００５９】
次に、図９のフローチャートを用いて、本発明の実施形態に係る映像表示装置の処理の流れを説明する。
【００６０】
まず、受信部２０３が、操作部から指定されて選局されたチャンネルの放送波を、受信アンテナ２１０を介して受信し、受信した放送波を復調し、さらに誤り訂正等の処理を施してＴＳへ変換し、ＴＳを同期データ分離部２０４へ供給する（ステップＳ１１）。
【００６１】
次に同期データ分離部２０４が、受信部２０３で選局された放送波に多重化されたＴＳから映像ＥＳと同期データＥＳとを分離し、ＴＳから分離した映像ＥＳを映像データ再生部２０５に供給する（ステップＳ１２／「映像ＥＳ」）ためにステップＳ１５へ進む。
一方、分離した同期データＥＳを同期データ解析部２０８へ供給する（ステップＳ１２／「同期データＥＳ」）ためにステップＳ１３へ進む。
【００６２】
映像データ再生部２０５は、同期データ分離部２０４で分離した映像ＥＳを非圧縮のデジタル映像データとして復号し、量子化係数や動きベクトルを求め、逆離散コサイン変換や動きベクトルに基づく動き補償制御などを行った映像データを表示データ作成部２０６に供給する（ステップＳ１５）ために、ステップＳ１６へ進む。また、この映像ＥＳに音声ＥＳが含まれていれば、この音声ＥＳを非圧縮のデジタル音声データとして復号して、Ｄ／Ａ変換したアナログの音声データをスピーカやヘッドフォン等に出力させる。
【００６３】
同期データ解析部２０８は、同期データ分離部２０４で分離した同期データＥＳを解析し、位置情報や属性情報等などの同期データを抽出し、表示データ作成部２０６へ供給する（ステップＳ１３）。
【００６４】
表示データ作成部２０６は、同期データ解析部２０８より供給された同期データと、表示データ選択部２０９より供給された設定情報とから、表示すべき画像を作成する（ステップＳ１４）。
さらに、表示データ作成部２０６では、ステップＳ１４で作成した画像と、映像データ再生部２０５から供給された映像データとを重畳して、表示部２０７へ供給する（ステップＳ１６）。
そして、表示部２０７は、表示データ作成部２０６から供給された映像データをＬＣＤやＰＤＰ等の出力特性にあわせて変換して、ＬＣＤやＰＤＰ等に出力する（ステップＳ１７）。
【００６５】
以上のようにして、放送波に多重された、映像データに同期するデータから、カスタマイズ可能な文字および画像をメイン映像に重ねることにより、視聴者が望んだ詳細情報を表示し、いつでも表示方法を切り替えることが可能である。
【００６６】
本発明では、同期データを、放送波に多重して送出するため、同期データを、例えばインターネットを利用して送る手法に比較して、多人数が同時に利用する場合でも輻輳や遅延を生ずることなく、効率的な配信が可能となる。
【００６７】
また、同期データ作成部１０２に、映像データ作成部１０３に供給する映像データと異なる映像データや、異なるイベントに同期する同期データを供給したり、複数のチャンネルの同期データを供給することも可能である。
この場合、映像表示装置２００では、送られてくる同期データを１つ乃至は複数を選択して表示することが可能となる。
【００６８】
例えば、メイン映像としてサッカーを視聴しているときに、野球の中継を表示させたいときには、「黄」ボタンを押して詳細設定にし、「チャンネル切替後もこの同期データを表示し続ける」を設定してから野球にチャンネルを変更する。
視聴者がこのように操作すると、図１０のように表示される。図１０では、画面１００１の中に野球中継のメイン映像１００２が表示され、同期データとして、サッカーの試合経過のスコアを示す文字情報８０３と、フィールドとオブジェクトの位置情報８０４と、同期データの表示方法の切り替え手段を示す表示８０５とが多重されて表示される。
【００６９】
また、メイン映像にサッカー中継を放送しており、同期データに野球中継の経過が表示されているときに、同期データもサッカーに変更したい場合には、「黄」ボタンを押して詳細設定にし、「同期データの固定を解除する」を設定すると、サッカーの同期データが表示されるようになる。メイン映像を切り替えたときにも、サッカーの中継を同期データとして表示させるときには、上述したように、再び「黄」ボタンを押して詳細設定にし、「チャンネル切替後もこの同期データを表示し続ける」を設定する。
【００７０】
また、本発明による情報送信装置１０１が送信する同期データは、本発明による映像表示装置２００が受信することによって、本実施形態で説明した表示が行われるが、その他の機器が受信した場合には、その機器の動作に影響を与えない構成とする。
【００７１】
本発明は、上述した実施形態のみに限定されたものではない。上述した実施形態を構成する情報送信装置および映像表示装置の各部として、コンピュータを機能させるプログラムを作成し、予め記録媒体に書き込んでおき、この記録媒体に記録されたこれらのプログラムを、情報送信装置および映像表示装置に備えられたメモリあるいは記憶装置に格納し、そのプログラムをコンピュータを使って実行することによって、本発明の目的が達成されることは言うまでもない。
【００７２】
この場合、記録媒体から読み出されたプログラム自体が上述した実施形態の機能を実現することになり、そのプログラムおよびそのプログラムを記録した記録媒体も本発明を構成することになる。
また、上記プログラムは、そのプログラムの指示に基づき、オペレーティングシステムあるいは他のアプリケーションプログラム等と共同して処理することによって上述した実施形態の機能が実現される場合も含まれる。
【００７３】
尚、上述した実施形態の機能を実現するプログラムは、ディスク系（例えば、磁気ディスク、光ディスク等）、カード系（例えば、メモリカード、光カード等）、半導体メモリ系（例えば、ＲＯＭ、不揮発性メモリ等）、テープ系（例えば、磁気テープ、カセットテープ等）等のいずれの形態の記録媒体で提供されてもよい。
あるいは、ネットワークを介して記憶装置に格納された上記プログラムをサーバコンピュータから直接供給を受けるようにしてもよい。この場合、このサーバコンピュータの記憶装置も本発明の記録媒体に含まれる。
このように、上述した実施形態の機能をプログラム化して流通させることによって、コストの低廉化、および可搬性や汎用性を向上させることができる。
【００７４】
さらに、本発明は上述した実施形態に限定されず、本発明の要旨を逸脱しない範囲内で各種の変形、修正が可能であるのは勿論である。
【図面の簡単な説明】
【００７５】
【図１】本発明の実施形態に係る情報送信装置の機能構成を示すブロック図である。
【図２】同期データのうち、オブジェクトの位置情報のデータ例である。
【図３】同期データのうち、オブジェクトの属性情報のデータ例である。
【図４】本発明の実施形態に係る情報送信装置の処理の流れを説明するフローチャートである。
【図５】本発明の実施形態に係る映像表示装置の機能構成を示すブロック図である。
【図６】同期データの描画方法を変更するためのガイド表示の例である。
【図７】サッカーに関する同期データを描画した例である。
【図８】視聴中のサッカーのメイン映像と同期データとを多重した表示例である。
【図９】本発明の実施形態に係る映像表示装置の処理の流れを説明するフローチャートである。
【図１０】野球中継のメイン映像に、サッカーに同期する同期データを多重した表示例である。
【図１１】野球中継で画面の隅に表示される情報の従来例である。
【符号の説明】
【００７６】
１０１…情報送信装置、１０２…同期データ作成部、１０３…映像データ作成部、１０４…重畳部、１０５…送出部、１０６…制御部、１０７…入力装置、１０８…送信アンテナ、２００…映像表示装置、２０１…制御部、２０２…記憶部、２０３…受信部、２０４…同期データ分離部、２０５…映像データ再生部、２０６…表示データ作成部、２０７…表示部、２０８…同期データ解析部、２０９…表示データ選択部、２１０…受信アンテナ、５０１…フィールド、５０２，５０４，５０５…オブジェクト、５０３…属性情報、８０１…画面、８０２…メイン映像、８０３…文字情報、８０４…位置情報、８０５…同期データの表示方法の切り替え手段を示す表示、１００１…画面、１００２…メイン映像。
【図１】
2008103933.tif 000003
【図２】
2008103933.tif 000004
【図３】
2008103933.tif 000005
【図４】
2008103933.tif 000006
【図５】
2008103933.tif 000007
【図６】
2008103933.tif 000008
【図７】
2008103933.tif 000009
【図８】
2008103933.tif 000010
【図９】
2008103933.tif 000011
【図１０】
2008103933.tif 000012
【図１１】
2008103933.tif 000013